(57)【要約】      （修正有）【課題】家庭用の冷蔵庫の棚等にもペットボトルを横向きに整理して収納することを可能とするペットボトル収納トレイを提供する。【解決手段】ペットボトルを横向きに載置可能な載置領域２がその長手方向を揃えて並設された底部３と、この底部の左右両側に立設された側壁部４とを有するペットボトル収納トレイであって、前記各載置領域は夫々、四角筒状の胴部を有する角型ペットボトルの該胴部を載置可能な広さを有する角型ペットボトル載置用の載置面部５と、この載置面部内に設けられ、円筒状の胴部を有する丸型ペットボトルの該胴部の外周形状に沿った丸型ペットボトル載置用の円弧状凹部６とを有する。【選択図】図１
0003234726.tif 000002
【実用新案登録請求の範囲】
【請求項１】
ペットボトルを横向きに載置可能な載置領域がその長手方向を揃えて並設された底部と、この底部の左右両側に立設された側壁部とを有するペットボトル収納トレイであって、
前記各載置領域は夫々、四角筒状の胴部を有する角型ペットボトルの該胴部を載置可能な広さを有する角型ペットボトル載置用の載置面部と、この載置面部内に設けられ、円筒状の胴部を有する丸型ペットボトルの該胴部の外周形状に沿った丸型ペットボトル載置用の円弧状凹部とを有するものであり、前記角型ペットボトル及び前記丸型ペットボトルのいずれか一方を選択的に載置可能に構成されていることを特徴とするペットボトル収納トレイ。
【請求項２】
請求項１記載のペットボトル収納トレイにおいて、前記載置領域間には、前記各載置領域に載置された前記ペットボトルの横ずれを防止する横ずれ防止凸部が設けられていることを特徴とするペットボトル収納トレイ。
【請求項３】
請求項２記載のペットボトル収納トレイにおいて、前記横ずれ防止凸部と前記側壁部との間隔若しくは前記横ずれ防止凸部同士の間隔は、前記角型ペットボトルの胴部の長幅若しくは短幅と略一致するように構成されていることを特徴とするペットボトル収納トレイ。
【請求項４】
請求項１〜３いずれか１項に記載のペットボトル収納トレイにおいて、前記底部及び前記側壁部には、通気用の孔部が前記載置領域の長手方向に複数並設されていることを特徴とするペットボトル収納トレイ。
【請求項５】
請求項１〜４いずれか１項に記載のペットボトル収納トレイにおいて、上下に積み重ねた際に上側のペットボトル収納トレイと連結する上部側凸状部と、上下に積み重ねた際に下側のペットボトル収納トレイに設けられた上部側凸状部が差し込まれて連結する下部側凹状部とが設けられていることを特徴とするペットボトル収納トレイ。
【請求項６】
請求項５記載のペットボトル収納トレイにおいて、前記上部側凸状部には、前記差し込まれた際に前記下部側凹状部の係合凹部に係止する係止凸部が設けられ、前記上部側凸状部と前記下部側凹状部とは、前記上部側凸状部を差し込んだ際に該上部側凸状部が弾性変形して可動した後に復帰動することで前記係止凸部が前記係合凹部に係合して抜け止め状態となり、且つ、前記上部側凸状部を押圧して前記係合が解除されるように可動させることで前記抜け止め状態が解除されるように構成されていることを特徴とするペットボトル収納トレイ。
【請求項７】
請求項１〜６いずれか１項に記載のペットボトル収納トレイにおいて、左右に並べた際に隣り合うペットボトル収納トレイ同士を連結することを可能とする左右連結部が設けられていることを特徴とするペットボトル収納トレイ。
【請求項８】
請求項１〜７いずれか１項に記載のペットボトル収納トレイにおいて、前記角型ペットボトル及び前記丸型ペットボトルの容量は２Ｌ以下であることを特徴とするペットボトル収納トレイ。
【請求項９】
請求項８記載のペットボトル収納トレイにおいて、前記載置面部は容量２Ｌの角型ペットボトルが載置可能な広さであり、前記円弧状凹部は容量１Ｌ以下の丸型ペットボトルが載置可能な円弧形状を有することを特徴とするペットボトル収納トレイ。
【請求項１０】
請求項８，９いずれか１項に記載のペットボトル収納トレイにおいて、前記底部に前記載置領域が２つ並設されていることを特徴とするペットボトル収納トレイ。
【考案の詳細な説明】
【技術分野】
【０００１】
本考案は、ペットボトル収納トレイに関するものである。
【背景技術】
【０００２】
特許文献１には、ペットボトルを位置決めした状態で横向きで収納できるボトル陳列スタンドが開示されている。
【先行技術文献】
【特許文献】
【０００３】
【特許文献１】特許第２９５５６０４号公報
【考案の概要】
【考案が解決しようとする課題】
【０００４】
ところで、店舗等での陳列に限らず、家庭用の冷蔵庫の棚等にペットボトルを横向きに整理して収納したい場合もある。
【０００５】
本考案は、横向きにした複数本のペットボトルを、角型でも丸型でも安定的に収納することができ、例えば家庭用の冷蔵庫の棚等にもペットボトルを横向きに整理して収納することを可能とする、これまでにないペットボトル収納トレイを提供することを目的とする。
【課題を解決するための手段】
【０００６】
添付図面を参照して本考案の要旨を説明する。
【０００７】
ペットボトル１ａ・１ｂを横向きに載置可能な載置領域２がその長手方向を揃えて並設された底部３と、この底部３の左右両側に立設された側壁部４とを有するペットボトル収納トレイであって、
前記各載置領域２は夫々、四角筒状の胴部を有する角型ペットボトル１ａの該胴部を載置可能な広さを有する角型ペットボトル載置用の載置面部５と、この載置面部５内に設けられ、円筒状の胴部を有する丸型ペットボトル１ｂの該胴部の外周形状に沿った丸型ペットボトル載置用の円弧状凹部６とを有するものであり、前記角型ペットボトル１ａ及び前記丸型ペットボトル１ｂのいずれか一方を選択的に載置可能に構成されていることを特徴とするペットボトル収納トレイに係るものである。
【０００８】
また、請求項１記載のペットボトル収納トレイにおいて、前記載置領域２間には、前記各載置領域２に載置された前記ペットボトルの横ずれを防止する横ずれ防止凸部７が設けられていることを特徴とするペットボトル収納トレイに係るものである。
【０００９】
また、請求項２記載のペットボトル収納トレイにおいて、前記横ずれ防止凸部７と前記側壁部４との間隔若しくは前記横ずれ防止凸部７同士の間隔は、前記角型ペットボトル１ａの胴部の長幅Ｘ若しくは短幅Ｙと略一致するように構成されていることを特徴とするペットボトル収納トレイに係るものである。
【００１０】
また、請求項１〜３いずれか１項に記載のペットボトル収納トレイにおいて、前記底部３及び前記側壁部４には、通気用の孔部８が前記載置領域２の長手方向に複数並設されていることを特徴とするペットボトル収納トレイに係るものである。
【００１１】
また、請求項１〜４いずれか１項に記載のペットボトル収納トレイにおいて、上下に積み重ねた際に上側のペットボトル収納トレイと連結する上部側凸状部９と、上下に積み重ねた際に下側のペットボトル収納トレイに設けられた上部側凸状部９が差し込まれて連結する下部側凹状部10とが設けられていることを特徴とするペットボトル収納トレイに係るものである。
【００１２】
また、請求項５記載のペットボトル収納トレイにおいて、前記上部側凸状部９には、前記差し込まれた際に前記下部側凹状部10の係合凹部12に係止する係止凸部11が設けられ、前記上部側凸状部９と前記下部側凹状部10とは、前記上部側凸状部９を差し込んだ際に該上部側凸状部９が弾性変形して可動した後に復帰動することで前記係止凸部11が前記係合凹部12に係合して抜け止め状態となり、且つ、前記上部側凸状部９を押圧して前記係合が解除されるように可動させることで前記抜け止め状態が解除されるように構成されていることを特徴とするペットボトル収納トレイに係るものである。
【００１３】
また、請求項１〜６いずれか１項に記載のペットボトル収納トレイにおいて、左右に並べた際に隣り合うペットボトル収納トレイ同士を連結することを可能とする左右連結部24ａ・24ｂが設けられていることを特徴とするペットボトル収納トレイに係るものである。
【００１４】
また、請求項１〜７いずれか１項に記載のペットボトル収納トレイにおいて、前記角型ペットボトル１ａ及び前記丸型ペットボトル１ｂの容量は２Ｌ以下であることを特徴とするペットボトル収納トレイに係るものである。
【００１５】
また、請求項８記載のペットボトル収納トレイにおいて、前記載置面部５は容量２Ｌの角型ペットボトル１ａが載置可能な広さであり、前記円弧状凹部６は容量１Ｌ以下の丸型ペットボトル１ｂが載置可能な円弧形状を有することを特徴とするペットボトル収納トレイに係るものである。
【００１６】
また、請求項８，９いずれか１項に記載のペットボトル収納トレイにおいて、前記底部３に前記載置領域２が２つ並設されていることを特徴とするペットボトル収納トレイに係るものである。
【考案の効果】
【００１７】
本考案は上述のように構成したから、例えば家庭用の冷蔵庫の棚等にもペットボトルを横向きに整理して収納することを可能とするペットボトル収納トレイとなる。
【図面の簡単な説明】
【００１８】
【図１】本実施例の説明斜視図である。
【図２】本実施例の説明正面図である。
【図３】ペットボトルを収納した状態の説明斜視図である。
【図４】上下に積み重ねた状態の説明正面図である。
【図５】上部側凸状部及び下部側凹状部の概略説明図である。
【図６】上部側凸状部及び下部側凹状部の概略説明図である。
【図７】左右連結部の概略説明図である。
【図８】左右連結部の概略説明図である。
【考案を実施するための形態】
【００１９】
好適と考える本考案の実施形態を、図面に基づいて本考案の作用を示して簡単に説明する。
【００２０】
並設された各載置領域２は角型・丸型兼用であり、角型ペットボトル１ａ（の胴部）及び丸型ペットボトル１ｂ（の胴部）のいずれでも載置することができる。
【００２１】
すなわち、角型ペットボトル１ａは載置面部５にその胴部が載置され、丸型ペットボトル１ｂは円弧状凹部６にその胴部が載置される。なお、丸型ペットボトル１ｂは円弧状凹部６に載置されることで安定的に載置収納される。
【００２２】
また、側壁部４により載置領域２が周囲から区画されることで、例えば冷蔵庫の棚に本考案に係るペットボトル収納トレイを置いた場合には、冷蔵庫内に横向きペットボトルの収納場所を明確に仕切った状態で設けることが可能となる。
【実施例】
【００２３】
本考案の具体的な実施例について図面に基づいて説明する。
【００２４】
本実施例は、ペットボトル１ａ・１ｂを横向きに載置可能な載置領域２がその長手方向を揃えて並設された底部３と、この底部３の左右両側に立設された側壁部４とを有し、例えば冷蔵庫等の棚にペットボトル１ａ・１ｂを横向きに収納するために用いられるペットボトル収納トレイであって、前記各載置領域２は夫々、四角筒状の胴部を有する角型ペットボトル１ａの該胴部を載置可能な広さを有する角型ペットボトル載置用の載置面部５と、この載置面部５内に設けられ、円筒状の胴部を有する丸型ペットボトル１ｂの該胴部の外周形状に沿った丸型ペットボトル載置用の円弧状凹部６とを有するものであり、前記角型ペットボトル１ａ及び前記丸型ペットボトル１ｂのいずれか一方を選択的に載置可能に構成されているものである。
【００２５】
各部を具体的に説明する。
【００２６】
本実施例は、図１〜３に図示したように、ペットボトル１ａ・１ｂが載置される底部３と、底部３の左右端部に夫々立設される側壁部４と、底部３と側壁部４の後端部に連設される後壁部13とを有する一体の樹脂成形体である。本実施例では、底部３に前記載置領域２が２つ並設されている（３つ以上並設しても良い。）。底部３の前後長さは、載置されるペットボトル１ａ・１ｂの全長より長くしても良いが、少なくともペットボトル１ａ・１ｂの胴部の大部分（胴部長手方向の６〜９割程度）が載置可能な長さがあれば良い。
【００２７】
本実施例では、各載置領域２は容量２Ｌ以下の角型ペットボトル１ａの胴部を横向きに載置可能な載置面部５（平坦面部）を有する構成としている。また、各側壁部４の高さは、ペットボトル１ａ・１ｂを載置領域２に横向きに載置したとき、当該ペットボトル１ａ・１ｂの高さより高くなるように設定する。
【００２８】
載置領域２には、角型ペットボトル１ａの容量以下の丸型ペットボトル１ｂの胴部を載置可能な円弧状凹部６が設けられている。具体的には、円弧状凹部６の左右両側に載置面部５が設けられている。したがって、角型ペットボトル１ａの胴部は円弧状凹部６を跨ぐようにして載置面部５に載置される。
【００２９】
なお、丸型ペットボトル１ｂの胴部が載置される円弧状凹部６は、想定される丸型ペットボトル１ｂの容量に応じて適宜設定してよいが、角型ペットボトル１ａより容量が小さいものを想定した大きさとするのが好ましい。円弧状凹部６の左右両側の載置面部５の面積を十分に確保するためである。
【００３０】
本実施例では、容量２Ｌ以下の角型ペットボトル１ａの胴部が載置可能な広さを有する載置面部５を形成し、容量１Ｌ以下の丸型ペットボトル１ｂ（好ましくは７００ｍＬ以下（例えば６００ｍＬ程度））の胴部が良好に載置されるように円弧状凹部６の凹湾曲面形状を設定している。
【００３１】
前記載置領域２間には、前記各載置領域２に載置された前記ペットボトル１ａ・１ｂの横ずれ（他の載置領域への侵入）を防止する横ずれ防止凸部７が設けられている。横ずれ防止凸部７は平坦な載置面部５より上方に若干突出する構成であれば良い。また、横ずれ防止凸部７は、４角部が丸く面取りされた角型ペットボトル１ａの当該角部により載置面部５との間に形成される空間に収まる形状とすると良い。
【００３２】
前記横ずれ防止凸部７と前記側壁部４との間隔は、前記角型ペットボトル１ａの胴部の長幅Ｘと略一致するように構成されている（図４参照）。なお、胴部の短幅Ｙと略一致するように構成しても良い。収納スペースを効率的に利用するためである。
【００３３】
前記底部３及び前記側壁部４には、通気用の孔部８が前記載置領域２の長手方向に複数並設されている。本実施例においては、横ずれ防止凸部７の両側の内方側の載置面部５に夫々楕円状の孔部８が設けられており、また、側壁部４の中ほどから外側の載置面部５にかけて延びる長窓状の孔部８が設けられている。これにより冷蔵庫の棚に設置した場合でも冷気の循環が妨げられにくく、ペットボトル１ａ・１ｂの冷却を良好に行える。
【００３４】
底部３には、棚等に安定的に載置できるように平坦な底面を有する脚部14ａ・14ｂが形成されている。脚部14ａ・14ｂは底部３の前端側と後端側に夫々形成されている。後端側の脚部14ｂは前端側の脚部14ａより若干短く形成され、水平面に載置した場合には、底部３の前端側が若干高くなる（ペットボトル１ａ・１ｂを載置した際にキャップ側が若干持ち上がる）ように構成されている。
【００３５】
また、本実施例を図４に図示したように上下に積み重ねた際には、後端側の脚部14ｂの底面は、側壁部４と後壁部13の上端に形成されたフランジ面15上に載置されるように構成され、前端側の脚部14ａの底面は、前記フランジ面15より若干低い後述する段差面16上に載置されるように構成されている。
【００３６】
側壁部４の前端側には夫々、上下に積み重ねた際に上側のトレイと連結する上部側凸状部９と、上下に積み重ねた際に下側のトレイに設けられた上部側凸状部９が差し込まれて連結する下部側凹状部10とが設けられている。これらにより積み重ねたトレイ同士が安定的に連結される。
【００３７】
具体的には、図５，６に図示したように、前記上部側凸状部９には、前記差し込まれた際に前記下部側凹状部10の係合凹部12に係止する係止凸部11が設けられ、前記上部側凸状部９と前記下部側凹状部10とは、前記上部側凸状部９を差し込んだ際に該上部側凸状部９が弾性変形して可動した後に復帰動することで前記係止凸部11が前記係合凹部12に係合して抜け止め状態となり、且つ、前記上部側凸状部９を押圧して前記係合が解除されるように可動させることで前記抜け止め状態が解除されるように構成されている。したがって、連結及び分離作業を簡単に行うことができる。
【００３８】
本実施例では、側壁部４の前端側に夫々外方に膨出する膨出部17が設けられ、この膨出部17の下端部に下部側凹状部10が設けられ、この膨出部17の上端部に上部側凸状部９が設けられている。膨出部17の下端部は上述の前端側の脚部14ａ（の一部）でもある。また、膨出部17の下端部の前後には、下側のトレイの側壁部４の先端側上端が導入される溝部23が設けられている。なお、側壁部４の先端側のフランジ面15は他の部位に比べて幅狭に形成されている。溝部23の幅を可及的に小さくするためである。
【００３９】
膨出部17の上端部には、前端側の脚部14ａが載置される段差面16が形成されている。段差面16はフランジ面15より低い位置に形成される。したがって、前端側の脚部14ａの底面は前記段差面16とその対向面同士が全体的に接触し、後端側の脚部14ｂの底面は前記フランジ面15とその対向面同士が全体的に接触することで、各段の底部３の前端側が後端側より若干高い状態で安定的に積み重ねられる。
【００４０】
また、前記段差面16の内側には下部側凹状部10に挿入される挿入部18が設けられている。膨出部17の上端部には左右一対のスリット19が設けられ、このスリット19を介して中央部20と左右角部21とが区画されている。この中央部20と左右角部21の上端部が前記挿入部18に設定されている。
【００４１】
また、前記中央部20は外方側から押圧することで内方側に可動可能な可動板部に設定され、この可動板部の上端側外面に外方に突出する係止凸部11が形成されている。係止凸部11にはテーパ状のガイド面が形成されている。また、膨出部17の下端部には係合凹部12（窓孔）が形成されている。また、可動板部となる中央部20には押圧する際の目印となる押圧部22が設けられている。
【００４２】
したがって、上部側凸状部９の挿入部18を下部側凹状部10に挿入して積み重ねる際には、係止凸部11のガイド面が脚部14ａの底面に当接しつつ、中央部20が内方へ押し込まれながら挿入され（図５（ａ）→（ｂ））、係止凸部11が係合凹部12と合致する位置まで挿入されると、中央部20が復帰動して係合凹部12に係止凸部11が係合して抜け止め状態となる（図５（ｂ）→（ｃ））。
【００４３】
また、抜け止め状態を解除して分離する際には、押圧部22を押圧して中央部20を内方側に可動させることで、係止凸部11の係合を解除させ抜け止め状態を解除できる（図６（ａ）→（ｂ））。この状態で挿入部18を抜き取ることで積み重ねていたトレイを分離することができる（図６（ｂ）→（ｃ））。
【００４４】
また、本実施例の側壁部４の上端外側の前後方向中央部には、左右方向に並べた本実施例に係るトレイＡ，Ｂ同士を連結するための左右連結部24ａ・24ｂが設けられている（図７，８参照）。
【００４５】
具体的には、左右連結部24ａ・24ｂはフランジ面15の外側に設けられている。例えば右側の側壁部４の左右連結部24ａには、連結相手の左側の側壁部４の左右連結部24ｂに設けた孔26に挿入可能な下向きの突起25を設けた構成として、この突起25が前記孔26に挿入されるように２つのトレイを並べて配置することで、左右方向に並べたトレイ同士をずれないように連結することが可能となる。
【００４６】
本実施例は上述のように構成したから、並設された各載置領域２は角型・丸型兼用であり、角型ペットボトル１ａ（の胴部）及び丸型ペットボトル１ｂ（の胴部）のいずれでも載置することができる。
【００４７】
すなわち、角型ペットボトル１ａは載置面部５にその胴部が載置され、丸型ペットボトル１ｂは円弧状凹部６にその胴部が載置される。
【００４８】
したがって、例えば冷蔵庫の棚に本考案に係るペットボトル収納トレイを置いた場合には、冷蔵庫内に横向きペットボトル１ａ・１ｂの収納場所を明確に仕切った状態で設けることが可能となる。
【００４９】
よって、本実施例は、家庭用の冷蔵庫の棚等にペットボトルを横向きに整理して収納することを可能とするペットボトル収納トレイとなる。
【符号の説明】
【００５０】
１ａ  角型ペットボトル
１ｂ  丸型ペットボトル
２  載置領域
３  底部
４  側壁部
５  載置面部
６  円弧状凹部
７  横ずれ防止凸部
８  孔部
９  上部側凸状部
10  下部側凹状部
11  係止凸部
12  係合凹部
24ａ・24ｂ  左右連結部
Ｘ  長幅
Ｙ  短幅
【図１】
0003234726.tif 000003
【図２】
0003234726.tif 000004
【図３】
0003234726.tif 000005
【図４】
0003234726.tif 000006
【図５】
0003234726.tif 000007
【図６】
0003234726.tif 000008
【図７】
0003234726.tif 000009
【図８】
0003234726.tif 000010